(57)【要約】【課題】原稿画像に蛍光画像が含まれる場合であっても、蛍光画像を容易かつ忠実に再現する。【解決手段】第１光源から出射される可視光で原稿を照射し、その反射光を受光することで画像データＲｉｎ，Ｇｉｎ，Ｂｉｎを取得し（Ｓ１）、第２光源から出射される紫外光で原稿を照射し、その反射光を受光することで画像データＲｕｖ，Ｇｕｖ，Ｂｕｖを取得し（Ｓ２）、Ｒｉｎ，Ｇｉｎ，Ｂｉｎ，Ｒｕｖ，Ｇｕｖ，Ｂｕｖの組み合わせに対応する色補正処理後の画像データを予め記憶した色補正テーブルから対応する画像データを読み出すことで色補正処理を行う（Ｓ７）。【選択図】図１
2011109625.tif 000002
【特許請求の範囲】
【請求項１】
原稿を読み取って上記原稿の画像データを生成する画像読取装置であって、
可視光を上記原稿に照射する第１光源と、
紫外光を上記原稿に照射する第２光源と、
上記第１光源から出射されて上記原稿で反射された光、および上記第２光源から出射されて上記原稿で反射された光を受光して画像データに変換する受光部と、
上記受光部から得られる画像データに対して色補正処理を施す色補正部と、
上記色補正処理に用いる色補正テーブルを記憶する記憶部とを備え、
上記色補正テーブルは、上記第１光源および上記第２光源の両方によって上記原稿を照射したときに上記受光部から得られる画像データと上記原稿を再現するための色補正処理後の画像データとを予め対応付けたものであり、
上記色補正部は、上記第１光源および上記第２光源の両方によって上記原稿を照射したときに上記受光部から得られた画像データに対応する色補正処理後の画像データを上記色補正テーブルから読み出すことによって上記色補正処理を行うことを特徴とする画像読取装置。
【請求項２】
上記色補正テーブルは、
上記第１光源および上記第２光源の両方によって上記原稿を照射したときに上記受光部から得られる画像データ、および上記第１光源のみで上記原稿を照射したときに上記受光部から得られる画像データの組み合わせと、上記原稿を再現するための色補正処理後の画像データとを予め対応付けたものであり、
上記色補正部は、上記第１光源および上記第２光源の両方によって上記原稿を照射したときに上記受光部から得られた画像データ、および上記第１光源のみで上記原稿を照射したときに上記受光部から得られた画像データの組み合わせに対応する色補正処理後の画像データを上記色補正テーブルから読み出すことによって上記色補正処理を行うことを特徴とする請求項１に記載の画像読取装置。
【請求項３】
上記受光部は、
可視光波長域の複数の色の光を受光してそれら各色に対応する画像データに変換する可視光受光素子と、紫外線波長域の光を受光して画像データに変換する紫外光受光素子とを備えており、
上記色補正テーブルは、
上記第１光源および上記第２光源の両方によって上記原稿を照射したときに上記受光部から得られる画像データと、上記原稿を再現するための色補正処理後の画像データとを予め対応付けたものであり、
上記色補正部は、
上記第１光源および上記第２光源の両方によって上記原稿を照射したときに上記受光部から得られた画像データに対応する色補正処理後の画像データを上記色補正テーブルから読み出すことによって上記色補正処理を行うことを特徴とする請求項１に記載の画像読取装置。
【請求項４】
上記紫外光受光素子における上記紫外線波長域の光の受光面積が、上記可視光受光素子における上記各色の光の受光面積よりも広いことを特徴とする請求項３に記載の画像読取装置。
【請求項５】
請求項１から４のいずれか１項に記載の画像読取装置と、
上記画像読取装置によって上記色補正処理が施された画像データの出力処理を行う画像出力部とを備えていることを特徴とする画像データ出力処理装置。
【請求項６】
原稿を読み取って上記原稿の画像データを生成する画像読取方法であって、
可視光を上記原稿に照射する第１光源から出射されて上記原稿で反射された光、および紫外光を上記原稿に照射する第２光源から出射されて上記原稿で反射された光を受光して画像データに変換する受光工程と、
上記受光工程によって得られる画像データに対して色補正処理を施す色補正工程とを含み、
上記色補正工程では、
上記第１光源および上記第２光源の両方によって上記原稿を照射したときに上記受光工程によって得られる画像データと上記原稿を再現するための色補正処理後の画像データとを予め対応付けた色補正テーブルから、上記第１光源および上記第２光源の両方によって上記原稿を照射したときに上記受光工程によって得られた画像データに対応する色補正処理後の画像データを読み出すことによって上記色補正処理を行うことを特徴とする画像読取方法。
【発明の詳細な説明】
【技術分野】
【０００１】
本発明は、原稿を読み取って上記原稿の画像データを生成する画像読取装置および画像読取方法に関するものである。
【背景技術】
【０００２】
従来より、原稿を読み取って原稿画像データを取得する画像読取装置において、原稿に蛍光画像が含まれる場合に蛍光画像の再現性を高めるための技術が種々提案されている。
【０００３】
例えば、特許文献１には、可視光を主として発する可視光源と紫外光を主として発する紫外光源とを備えた画像読取装置であって、操作者が読取モードの色合いチェックモードを選択したときに、可視光源のみを点灯して原稿を読み取った画像データと、紫外光源のみを点灯して原稿を読み取った画像データとを操作者が比較対照し、視認による色合い調節を行ってその調節値をメモリに保存しておき、その後、可視光源のみを単独使用して原稿から読み取った画像データを上記メモリに保存しておいた上記調節値に基づいて処理することが開示されている。
【０００４】
また、特許文献２には、ＲＧＢの色票データに基づいて画像出力装置が出力した画像の反射光を実際に画像を観察する環境の照明下で測定することにより、蛍光を含む画像用の出力プロファイルを作成して画像処理装置に保存しておき、画像処理装置が原稿から読み取った画像データに対してＬａｂ信号からＲＧＢ信号への色変換処理を行う際に、上記の出力プロファイルを用いて色変換処理を行うことにより、蛍光を含む画像を出力する際の色再現性を向上させる技術が開示されている。
【０００５】
また、特許文献３には、原稿に紫外光を照射して読み取った画像データに基づいて蛍光色領域画像を抽出し、原稿に可視光を照射して読み取った画像データに色空間圧縮処理を施す際の色空間圧縮パラメータを上記蛍光色領域画像のデータに基づいて切り替えることが開示されている。
【０００６】
また、特許文献４には、原稿に紫外光を照射して読み取った画像データに基づいて蛍光色領域を抽出し、原稿に可視光を照射して読み取った画像データの色変換処理を行う際に、蛍光色領域については予め設定された蛍光色−近似色変換テーブルを用いて色変換処理を行うことが開示されている。
【先行技術文献】
【特許文献】
【０００７】
【特許文献１】特開平１１−２０５５３８号公報（平成１１年７月３０日公開）
【特許文献２】特開２００４−６４１１２号公報（平成１６年２月２６日公開）
【特許文献３】特開平９−８３７３５号公報（平成９年３月２８日公開）
【特許文献４】特開平９−９８３０２号公報（平成９年４月８日公開）
【発明の概要】
【発明が解決しようとする課題】
【０００８】
しかしながら、特許文献１，２の技術には、蛍光画像に対する画像処理を行う際に用いるパラメータ等を、紫外光を原稿に照射して読み取った画像データに基づいて予め設定しておくことが記載されているものの、画像処理の対象とする画像データは可視光のみを照射して原稿を読み取った画像データなので、蛍光画像と蛍光成分を含まない通常の画像とを適切に識別ことができない場合があり、色再現性がかえって低下してしまう場合がある。
【０００９】
つまり、蛍光とは、ある波長の光を試料に照射した場合、吸収された光が波長を変えて再放出される現象であり、蛍光を含む物体色は、照射する光の波長と同じ波長で反射する反射光成分と、波長を変えて発光する蛍光成分とが重畳された色になる。このため、可視光源のみで原稿を照射して得られた画像データの色は、紫外光の影響を含まないので、紫外光を含む日光や蛍光灯などの照明下で観察される原稿の色と異なる場合がある。
【００１０】
また、特許文献３，４の技術では、蛍光成分を含む領域と含まない領域とを区別する程度のことはできたとしても、紫外光による情報が読み取られたデータに反映されないので、蛍光成分を含む画像の色再現を精度よく行うことはできない。この点について具体的に説明すると、特許文献３，４の構成は、原稿に紫外光を照射する場合、光源と原稿との間に可視光カットフィルタを挿入することによって可視光をカットする構成なので、原稿に入射する紫外光の強度が弱いため、受光素子の受光強度も弱く、蛍光成分を含む領域と蛍光成分を含まない領域とを区別する程度のことはできたとしても、蛍光成分の色特性を精度よく検出できるほどの十分な強度が得られない。また、原稿に可視光を照射する場合、この可視光には紫外線波長域の光も含まれていると考えられるが、可視光の強度に対して紫外光の強度は微弱なので、原稿からの反射光を受光する受光素子において蛍光成分の影響を検出できるほどの十分な検出精度は得られない。したがって、特許文献３，４の技術では、蛍光成分を含む画像の色再現を精度よく行うことができない。
【００１１】
また、特許文献３，４の技術では、原稿に紫外光を照射して読み取った画像データに基づいて蛍光画像領域を抽出する処理、および抽出した蛍光画像領域に対する処理パラメータを蛍光画像以外の領域に対する処理パラメータと切り替える処理が必要になるので、画像処理装置の構成の複雑化や処理時間の増大を招いてしまう。
【００１２】
本発明は、上記課題を克服するものであって、原稿画像に蛍光画像が含まれる場合であっても、蛍光画像を容易かつ忠実に再現できる画像処理装置、及びそれを備えた画像形成装置、並びに画像形成方法を提供するものである。
【課題を解決するための手段】
【００１３】
本発明は、上記の課題を解決するために、原稿を読み取って上記原稿の画像データを生成する画像読取装置であって、可視光を上記原稿に照射する第１光源と、紫外光を上記原稿に照射する第２光源と、上記第１光源から出射されて上記原稿で反射された光、および上記第２光源から出射されて上記原稿で反射された光を受光して画像データに変換する受光部と、上記受光部から得られる画像データに対して色補正処理を施す色補正部と、上記色補正処理に用いる色補正テーブルを記憶する記憶部とを備え、上記色補正テーブルは、上記第１光源および上記第２光源の両方によって上記原稿を照射したときに上記受光部から得られる画像データと上記原稿を再現するための色補正処理後の画像データとを予め対応付けたものであり、上記色補正部は、上記第１光源および上記第２光源の両方によって上記原稿を照射したときに上記受光部から得られた画像データに対応する色補正処理後の画像データを上記色補正テーブルから読み出すことによって上記色補正処理を行うことを特徴としている。
【００１４】
上記の構成によれば、可視光を上記原稿に照射する第１光源と、紫外光を上記原稿に照射する第２光源と、上記第１光源から出射されて上記原稿で反射された光、および上記第２光源から出射されて上記原稿で反射された光を受光して画像データに変換する受光部と、上記画像データに対して色補正処理を施す色補正部と、上記色補正処理に用いる色補正テーブルを記憶する記憶部とを備えている。そして、上記色補正テーブルは、上記第１光源および上記第２光源の両方によって上記原稿を照射したときに上記受光部から得られる画像データと上記原稿を再現するための色補正処理後の画像データとを予め対応付けたものであり、上記色補正部は、上記第１光源および上記第２光源の両方によって上記原稿を照射したときに上記受光部から得られた画像データに対応する色補正処理後の画像データを上記色補正テーブルから読み出すことによって上記色補正処理を行う。これにより、原稿画像に蛍光画像が含まれている場合であっても、この蛍光画像によって紫外光波長から可視光波長に変換された光の強度が受光部によって変換される画像データに反映されるので、それを考慮して原稿を忠実に再現できるように色補正テーブルを用意しておき、その色補正テーブルに基づいて上記画像データに色補正処理を施すことにより、蛍光画像を含む原稿であっても原稿を容易かつ忠実に再現することができる。
【００１５】
また、上記色補正テーブルは、上記第１光源および上記第２光源の両方によって上記原稿を照射したときに上記受光部から得られる画像データ、および上記第１光源のみで上記原稿を照射したときに上記受光部から得られる画像データの組み合わせと、上記原稿を再現するための色補正処理後の画像データとを予め対応付けたものであり、上記色補正部は、上記第１光源および上記第２光源の両方によって上記原稿を照射したときに上記受光部から得られた画像データ、および上記第１光源のみで上記原稿を照射したときに上記受光部から得られた画像データの組み合わせに対応する色補正処理後の画像データを上記色補正テーブルから読み出すことによって上記色補正処理を行う構成であってもよい。
【００１６】
上記の構成によれば、第１光源および第２光源の両方によって原稿を照射したときに受光部から得られる画像データには、蛍光画像によって紫外光波長から可視光波長に変換された光の強度が反映される。また、第１光源のみで原稿を照射したときに受光部から得られる画像データには、蛍光画像によって紫外光波長から可視光波長に変換される光の強度は反映されない。このため、第１光源および第２光源の両方によって原稿を照射したときに受光部から得られる画像データ、および第１光源のみで原稿を照射したときに受光部から得られる画像データの組み合わせと、原稿を忠実に再現するための色補正処理後の画像データとを予め対応付けた色補正テーブルを用意しておき、第１光源および第２光源の両方によって原稿を照射したときに受光部から得られた画像データ、および第１光源のみで原稿を照射したときに受光部から得られた画像データの組み合わせに対応する色補正処理後の画像データを色補正テーブルから読み出すことにより、蛍光画像を含む原稿であっても原稿を忠実に再現することができる。
【００１７】
また、上記受光部は、可視光波長域の複数の色の光を受光してそれら各色に対応する画像データに変換する可視光受光素子と、紫外線波長域の光を受光して画像データに変換する紫外光受光素子とを備えており、上記色補正テーブルは、上記第１光源および上記第２光源の両方によって上記原稿を照射したときに上記受光部から得られる画像データと、上記原稿を再現するための色補正処理後の画像データとを予め対応付けたものであり、上記色補正部は、上記第１光源および上記第２光源の両方によって上記原稿を照射したときに上記受光部から得られた画像データに対応する色補正処理後の画像データを上記色補正テーブルから読み出すことによって上記色補正処理を行う構成であってもよい。
【００１８】
上記の構成によれば、受光部が、可視光波長域の複数の色の光を受光してそれら各色に対応する画像データに変換する可視光受光素子と、紫外線波長域の光を受光して画像データに変換する紫外光受光素子とを備えている。したがって、第１光源および第２光源の両方によって原稿を照射したときに受光部から得られる画像データには、蛍光画像の影響が反映される。このため、第１光源および第２光源の両方によって原稿を照射したときに受光部から得られる画像データと、原稿を忠実に再現するための色補正処理後の画像データとを予め対応付けた色補正テーブルを用意しておき、第１光源および第２光源の両方によって原稿を照射したときに受光部から得られた画像データに対応する色補正処理後の画像データを色補正テーブルから読み出すことにより、蛍光画像を含む原稿であっても原稿を容易かつ忠実に再現することができる。
【００１９】
また、上記紫外光受光素子における上記紫外線波長域の光の受光面積が、上記可視光受光素子における上記各色の光の受光面積よりも広い構成としてもよい。
【００２０】
上記の構成によれば、紫外線波長域の光の受光感度を高めることができるので、蛍光画像の影響をより精度よく検出することができる。
【００２１】
本発明の画像データ出力処理装置は、上記したいずれかの画像読取装置と、上記画像読取装置によって上記色補正処理が施された画像データの出力処理を行う画像出力部とを備えている。ここで、上記出力処理は、例えば、画像データに応じた画像を記録材上に形成する処理であってもよく、画像データに応じた画像を表示装置に表示させる処理であってもよく、画像データを他の装置に送信する処理であってもよく、画像データを所定の保存先に保存する処理であってもよい。
【００２２】
上記の構成によれば、画像読取装置によって忠実に再現された画像データに基づいて出力処理を行うことができるので、原稿に忠実な画像を出力することができる。
【００２３】
本発明の画像読取方法は、原稿を読み取って上記原稿の画像データを生成する画像読取方法であって、可視光を上記原稿に照射する第１光源から出射されて上記原稿で反射された光、および紫外光を上記原稿に照射する第２光源から出射されて上記原稿で反射された光を受光して画像データに変換する受光工程と、上記受光工程によって得られる画像データに対して色補正処理を施す色補正工程とを含み、上記色補正工程では、上記第１光源および上記第２光源の両方によって上記原稿を照射したときに上記受光工程によって得られる画像データと上記原稿を再現するための色補正処理後の画像データとを予め対応付けた色補正テーブルから、上記第１光源および上記第２光源の両方によって上記原稿を照射したときに上記受光工程によって得られた画像データに対応する色補正処理後の画像データを読み出すことによって上記色補正処理を行うことを特徴としている。
【００２４】
上記の方法によれば、可視光を上記原稿に照射する第１光源から出射されて上記原稿で反射された光、および紫外光を上記原稿に照射する第２光源から出射されて上記原稿で反射された光を受光して画像データに変換する受光工程と、上記画像データに対して色補正処理を施す色補正工程とを含んでいる。そして、上記色補正工程では、上記第１光源および上記第２光源の両方によって上記原稿を照射したときに上記受光工程によって得られる画像データと上記原稿を忠実に再現するための色補正処理後の画像データとを予め対応付けた色補正テーブルから、上記第１光源および上記第２光源の両方によって上記原稿を照射したときに上記受光工程から得られた画像データに対応する色補正処理後の画像データを読み出すことによって上記色補正処理を行う。これにより、原稿画像に蛍光画像が含まれている場合であっても、この蛍光画像によって紫外光波長から可視光波長に変換された光が受光工程によって変換される画像データに反映されるので、それを考慮して原稿を忠実に再現できるように色補正テーブルを予め用意しておき、その色補正テーブルに基づいて上記画像データに色補正処理を行うことにより、蛍光画像を含む原稿であっても原稿を容易かつ忠実に再現することができる。
【発明の効果】
【００２５】
以上のように、可視光を上記原稿に照射する第１光源と、紫外光を上記原稿に照射する第２光源と、上記第１光源から出射されて上記原稿で反射された光、および上記第２光源から出射されて上記原稿で反射された光を受光して画像データに変換する受光部と、上記受光部から得られる画像データに対して色補正処理を施す色補正部と、上記色補正処理に用いる色補正テーブルを記憶する記憶部とを備え、上記色補正テーブルは、上記第１光源および上記第２光源の両方によって上記原稿を照射したときに上記受光部から得られる画像データと上記原稿を再現するための色補正処理後の画像データとを予め対応付けたものであり、上記色補正部は、上記第１光源および上記第２光源の両方によって上記原稿を照射したときに上記受光部から得られた画像データに対応する色補正処理後の画像データを上記色補正テーブルから読み出すことによって上記色補正処理を行う。
【００２６】
また、本発明の画像処理方法は、可視光を上記原稿に照射する第１光源から出射されて上記原稿で反射された光、および紫外光を上記原稿に照射する第２光源から出射されて上記原稿で反射された光を受光して画像データに変換する受光工程と、上記受光工程によって得られる画像データに対して色補正処理を施す色補正工程とを含み、上記色補正工程では、上記第１光源および上記第２光源の両方によって上記原稿を照射したときに上記受光工程によって得られる画像データと上記原稿を再現するための色補正処理後の画像データとを予め対応付けた色補正テーブルから、上記第１光源および上記第２光源の両方によって上記原稿を照射したときに上記受光工程によって得られた画像データに対応する色補正処理後の画像データを読み出すことによって上記色補正処理を行う。
【００２７】
それゆえ、蛍光画像を含む原稿であっても原稿を容易かつ忠実に再現することができる。
【図面の簡単な説明】
【００２８】
【図１】本発明の一実施形態にかかる画像読取装置における画像読取時の処理の流れを示すフローチャートである。
【図２】図１の画像読取装置を備えた画像データ出力処理装置の概略構成を示すブロック図である。
【図３】（ａ）〜（ｃ）は図１の画像読取装置に備えられるカラー画像入力装置の断面図である。
【図４】図３に示したカラー画像入力装置に示した光源（第１光源および第２光源）の構成を示す説明図である。
【図５】図４に示した光源（第１光源および第２光源）からの出射光の分光特性の一例を示すグラフである。
【図６】（ａ）は蛍光画像に紫外光を照射したときの原稿からの反射光の受光波長の、蛍光画像に可視光波長のみを照射したときの原稿からの反射光の受光波長に対する相対強度を示す説明図である。（ｂ）は、（ａ）と同じ蛍光画像を可視光のみで照射したときの受光素子の感度特性、およびこの蛍光画像を可視光および紫外光で照射したときの受光素子の感度特性を示すグラフである。
【図７】（ａ）は本発明の他の実施形態にかかる画像読取装置のカラー画像入力装置に備えられる受光素子の構成を示す説明図であり、（ｂ）はその変形例である。
【図８】図７（ａ）および図７（ｂ）に示した受光素子の感度特性を示すグラフである。
【図９】図７（ａ）および図７（ｂ）の画像読取装置における画像読取時の処理の流れを示すフローチャートである。
【図１０】図９の画像読取装置で用いられる色補正テーブルの一例を示す説明図である。
【図１１】図１の画像読取装置で用いられる色補正テーブルの一例を示す説明図である。
【発明を実施するための形態】
【００２９】
本発明の一実施形態について説明する。図２は本実施形態にかかる複写機（画像読取装置、画像データ出力処理装置）１０の概略構成を示すブロック図である。
【００３０】
この図に示すように、複写機１０は、カラー画像入力装置１００、カラー画像処理装置２００、カラー画像出力装置３００、操作パネル１１、および制御部１２を備えている。
【００３１】
カラー画像入力装置１００は、カラー画像出力装置３００が収容される筐体の上面に備えられており、原稿を読み取ってこの原稿の画像データを取得するものである。カラー画像入力装置１００にて読み取られた原稿の画像データは、カラー画像処理装置２００へと送られて所定の画像処理が施される。
【００３２】
図３（ａ）はカラー画像入力装置１００の断面図である。この図に示すように、カラー画像入力装置１００は、透明ガラスからなる原稿台としての原稿載置台５１と、この原稿載置台５１上へ自動的に原稿を供給搬送するための原稿カバーとしてのＤＳＰＦ（Duplex Single Pass Feeder；両面対応自動原稿送り装置）５２と、原稿載置台５１上に載置された原稿の画像を走査して読み取るためのスキャナユニット（原稿画像読み取りユニット）５０とを備えている。
【００３３】
ＤＳＰＦ５２は、原稿トレイ（図示せず）を備えており、この原稿トレイ上にセットされた複数枚の原稿を１枚ずつ自動的に原稿載置台５１上へ給送する装置である。ＤＳＰＦ５２は、オペレータの選択に応じて原稿の片面又は両面をスキャナユニット５０に読み取らせるように、片面原稿のための搬送経路、両面原稿のための搬送経路、搬送経路切り換え手段、各部を通過する原稿の状態を把握し管理するセンサ群、及び制御部等から構成されている。ＤＳＰＦ５２については、従来から多くの出願、商品化がなされているので、これ以上の説明は省略する。
【００３４】
スキャナユニット５０は、原稿面上を露光する光源（ランプリフレクターアセンブリ）６２と、原稿からの反射光像をＣＣＤ（ChargeCoupled Device）素子（光電変換素子）６４に導くための原稿からの反射光を反射する第１反射ミラー６３ａを搭載してなる第１走査ユニット６０ａと、第１反射ミラーユニット６３ａからの反射光像を上記ＣＣＤ素子６４に導くための第２反射ミラー６３ｂ及び第３反射ミラー６３ｃを搭載してなる第２走査ユニット６０ｂと、原稿からの反射光像を上述した各反射ミラーを介して電気的画像信号に変換するＣＣＤ素子６４上に結像させるための光学レンズ６３ｄと、原稿からの反射光像を電気的画像信号に変換する上述したＣＣＤ素子６４とを備えている。
【００３５】
図４は光源６２の構成を示す説明図である。この図に示すように、光源６２は、可視光を出射する第１光源６２ａと、紫外光を出射する第２光源６２ｂとを備えている。第１光源６２ａとしては、例えばキセノンランプなどの従来から画像読取装置における原稿照射用の光源として用いられている光源を用いることができる。第２光源６２ｂとしては、例えばブラックライトや紫外線ＬＥＤなどを用いることができる。なお、第２光源６２ｂの出射光の強度は、原稿に反射された後、後述する各ミラーを介してＣＣＤ素子６４に到達する紫外線波長域の光の強度が、ＣＣＤ素子６４によってこの紫外線波長域の光を十分に検出可能な強度になるように設定されている。この際、第２光源６２ｂから出射される紫外線波長域の光のピーク強度と第１光源６２ａから出射される可視光波長域の光のピーク強度との比（紫外線波長域の光のピーク強度／可視光波長域の光のピーク強度）を、太陽光や蛍光灯からの出射光における紫外線波長域の光のピーク強度と可視光波長域の光のピーク強度との比（紫外線波長域の光のピーク強度／可視光波長域の光のピーク強度）よりも大きくしてもよい。
【００３６】
図５は、第１光源６２ａおよび第２光源６２ｂからの出射光の分光特性の一例を示すグラフである。この図に示すように、第１光源６２ａは可視光波長域（４００ｎｍ以上の波長領域）に強度のピークを有しており、第２光源６２ｂは可視光波長未満の波長域（紫外線波長域。４００ｎｍ未満の波長域。）に強度のピークを有している。
【００３７】
カラー画像入力装置１００は、ＤＳＰＦ５２とスキャナユニット５０の関連した動作により、原稿載置台５１上に読み取るべき原稿を順次載置させながら、原稿載置台５１の下面に沿ってスキャナユニット５０を移動させて原稿画像を読み取るように構成されている。特に、第１走査ユニット６０ａは、原稿載置台５１に沿って水平方向に一定速度Ｖで走行され、また、第２走査ユニット６０ｂは、その速度Ｖに対してＶ／２の速度で同一方向に平行に走査制御される。
【００３８】
これにより、原稿載置台５１上に載置された原稿の画像を１ライン毎に順次ＣＣＤ素子６４へと結像させて画像を読み取ることができる。
【００３９】
また、カラー画像入力装置１００におけるＤＳＰＦ５２は、一端側に備えられるヒンジ部材（図示せず）により原稿載置台５１に対して開閉できる構造になっている。また、カラー画像入力装置１００はＤＳＰＦ５２の開閉を検知する開閉検知センサ（図示せず）を備えている。
【００４０】
図３（ｂ）はカラー画像入力装置１００の断面図である。この図に示すように、カラー画像入力装置１００は、原稿載置台３５に対して上下の両方に光学系を備えている。すなわち、カラー画像入力装置１００は、原稿載置台５１の下方に備えられる上述したスキャナユニット（第１読取光学部）５０と、原稿載置台５１の上方に備えられる第２読取光学部５３とを備えている。第２読取光学部５３はＤＳＰＦ３６に固定されており、原稿載置台５１に対する相対位置は一定である。なお、図３（ｂ）では、説明の便宜上、スキャナユニット５０のうち第１走査ユニット６０ａのみを記載している。
【００４１】
カラー画像入力装置１００において両面自動原稿読取りを行う場合には、スキャナユニット５０を図３（ｂ）に示した位置（第１原稿読取位置）に移動させ、ＤＳＰＦ５２によって搬送される原稿の両面をスキャナユニット５０および第２読取光学部５３によって同時に読み取るようになっている。
【００４２】
より詳細に説明すると、原稿を両面自動読取りするときには、まず、ＤＳＰＦ５２の原稿載置トレイ５４に載置された原稿を原稿載置検知センサ５５が検知し、それに応じてカラー画像入力装置１００の制御部（図示せず）が、原稿ストッパー５６を開放させ、給紙ローラ５７、用紙ピックアップ爪５８、およびレジストローラ５９を駆動させて原稿を第１原稿読取位置まで搬送させる。これにより、原稿はスキャナユニット５０の第１走査ユニット６０ａと第２読取光学部５３との間を通過し、スキャナユニット５０および第２読取光学部５３によって原稿のおもて面および裏面が読み取られる。その後、読み取られた原稿は排紙トレイ７４に排出される。
【００４３】
また、ＤＳＰＦ５２では、原稿の搬送方向に沿って、レジストローラ５９の手前に備えられたレジストローラ前センサ７１、第２読取光学部５３の手前に備えられた原稿先端検知センサ７２、およびスキャナユニット５０の後に備えられた出紙センサ７３を設けている。
【００４４】
また、ＤＳＰＦ５２には、図３（ｃ）に示すように、シェーディング補正のための基準となる白板７５，７６が設けられている。図３（ｃ）はシェーディング補正時のカラー画像入力装置１００の動作を示す説明図である。
【００４５】
白板７５は、原稿載置台５１の第１原稿読取位置におけるガラス下面に設けられている。また、白板７６は、原稿載置台５１の第２原稿読取位置におけるガラス面の上方に設けられている。なお、スキャナユニット５０は、シェーディング補正するときには第２原稿読取位置に移動して白板７６を読み取るようになっている。スキャナユニット５０によって白板７６を読み取った結果、および第２読取光学部５３によって白板７５を読み取った結果はカラー画像処理装置２００に送られ、後述するシェーディング補正部２２におけるシェーディング補正処理に用いられる。
【００４６】
カラー画像処理装置２００は、図２に示したように、Ａ／Ｄ変換部２１、シェーディング補正部２２、領域分離処理部２３、入力階調補正部２４、色補正部２５、空間フィルタ処理部２６、拡大縮小処理部２７、および中間調処理部２８を備えている。
【００４７】
Ａ／Ｄ変換部２１は、カラー画像入力装置１００から入力されたＲ,Ｇ,Ｂのアナログ信号（第１光源６２ａのみで原稿を照射したときの反射光に基づいて検出されたＲ，Ｇ，Ｂの画像データ（Ｒｉｎ,Ｇｉｎ,Ｂｉｎ）、および第１光源６２ａと第２光源６２ｂとの両方で原稿を照射したときの反射光に基づいて検出されたＲ,Ｇ,Ｂの画像データ（ＲＵＶ，ＧＵＶ，ＢＵＶ）をデジタル信号に変換してシェーディング補正部２２に出力する。
【００４８】
シェーディング補正部２２は、Ａ／Ｄ変換部２１から送られてきたデジタルのＲＧＢ信号に対して、カラー画像入力装置１００の照明系、結像系、撮像系で生じる各種の歪みを取り除く処理を施し、領域分離処理部２３に出力する。
【００４９】
領域分離処理部２３は、ＲＧＢ信号（Ｒｉｎ,Ｇｉｎ,ＢｉｎおよびＲＵＶ，ＧＵＶ，ＢＵＶの少なくとも一方）より、入力画像中の各画素を黒文字領域、色文字領域、網点領域、印画紙写真（連続階調領域）領域の何れかに分離するものである。領域分離処理部２３は、分離結果に基づき、各画素がどの領域に属しているかを示す領域分離信号を、空間フィルタ処理部２６および中間調処理部２８へと出力する。また、領域分離処理部２３は、シェーディング補正部２２から入力された画像データをそのまま入力階調補正部２４に出力する。
【００５０】
入力階調補正部２４は、シェーディング補正部２２にて各種の歪みが取り除かれたＲ,Ｇ,Ｂ信号（Ｒｉｎ,Ｇｉｎ,Ｂｉｎ，ＲＵＶ，ＧＵＶ，ＢＵＶ）に対して、濃度信号などカラー画像処理装置２００に採用されている画像処理システムの扱い易い信号に変換する処理を施す。また、入力階調補正部２４は、下地濃度の除去やコントラストなどの画質調整処理を行う。そして、入力階調補正部２４は、上記の各処理を施した画像データを色補正部２５に出力する。
【００５１】
色補正部２５は、色再現の忠実化実現のために、不要吸収成分を含むＣＭＹＫ（Ｃ：シアン・Ｍ：マゼンタ・Ｙ：イエロー・Ｋ：ブラック）色材の分光特性に基づいた色濁りを取り除くとともに、蛍光画像を忠実に再現するための色補正処理を行うものである。
【００５２】
具体的には、第１光源６２ａのみで原稿を照射したときの反射光に基づいて検出されたＲ，Ｇ，Ｂの画像データ（Ｒｉｎ,Ｇｉｎ,Ｂｉｎ）と、第１光源６２ａと第２光源６２ｂとの両方で原稿を照射したときの反射光に基づいて検出されたＲ,Ｇ,Ｂの画像データ（ＲＵＶ，ＧＵＶ，ＢＵＶ）が色補正部２５に入力される。また、色補正部２５は、Ｒｉｎ，Ｇｉｎ，Ｂｉｎ，ＲＵＶ，ＧＵＶ，ＢＵＶの各値の組み合わせと、色補正後のＣＭＹＫの各値の組み合わせとを対応付けた色補正テーブルを予め記憶させた記憶部（図示せず）を備えており、入力されたＲｉｎ，Ｇｉｎ，Ｂｉｎ，ＲＵＶ，ＧＵＶ，ＢＵＶの値に対応するＣＭＹＫの出力値をこの色補正テーブルから読み出して空間フィルタ処理部２６に出力する。上記色補正テーブルは、例えば第１光源６２ａおよび第２光源６２ｂを用いてさまざまな蛍光画像（サンプル画像）を読み取ったときのＲｉｎ，Ｇｉｎ，Ｂｉｎ，ＲＵＶ，ＧＵＶ，ＢＵＶの各値の組み合わせと、上記蛍光画像を色再現性よく再現するためのＣＭＹＫの値との関係を予め実験によって求めることによって生成すればよい。図１１は色補正テーブルの一例を示している。
【００５３】
これにより、ＲＵＶ，ＧＵＶ，ＢＵＶは、可視光と紫外光の両方を原稿に照射したときの反射光から検出される値なので、蛍光成分の影響が十分に反映されている。したがって、第１光源６２ａによって可視光を原稿に照射したときの反射光だけでなく、第２光源６２ｂによって紫外線波長域の光を原稿に照射したときの反射光を考慮して色補正を行うことができるので、蛍光成分の影響を精度よく反映させた、色再現性の高い画像データを得ることができる。
【００５４】
図６（ａ）は、緑色の蛍光画像に紫外線波長域の光を照射したときの原稿からの反射光の受光波長の、上記蛍光画像に可視光波長のみを照射したときの原稿からの反射光の受光波長に対する相対強度（蛍光による波長シフト強度）ｇ（ｎ）の一例を示す説明図である。なお、ｎは蛍光画像への入射光波長を示している。
【００５５】
この図に示すように、蛍光画像に入射した紫外線波長域の光はこの蛍光画像によって波長が変換されて放出される。その結果、図６（ａ）の例では波長５５０ｎｍ付近において相対強度（可視光のみを照射した場合の反射光に対する相対強度）が約１．３５倍になる。
【００５６】
図６（ｂ）は、図６（ａ）と同じ蛍光画像を第１光源６２ａのみで照射したときのＣＣＤ素子６４におけるＧ（緑色）の受光素子ＣＣＤ＿Ｇの感度特性ｆｃｃｄ−ｇ（ｎ）、および上記蛍光画像を第１光源６２ａおよび第２光源６２ｂで照射したときのＣＣＤ素子６４におけるＧ（緑色）の受光素子の感度特性ｆｃｃｄ−ｇ（ｎ）×ｇ（ｎ）を示すグラフである。この受光素子の出力値は下式のように表される。
【００５７】
【数１】
2011109625.tif 000003
【００５８】
図６（ｂ）から明らかなように、蛍光画像がある場合には、ＧｉｎとＧＵＶとの差が大きくなる。Ｇ以外の色、すなわちＲ，Ｂについても同様のことが言える。そこで、本実施形態では、Ｒｉｎ，Ｇｉｎ，ＢｉｎだけでなくＲＵＶ，ＧＵＶ，ＢＵＶを考慮して色補正処理を行う。これにより、本実施形態では、蛍光成分の色の再現性を高めることができるようになっている。
【００５９】
なお、本実施形態では、ＲＧＢ色空間のデータをＣＭＹＫ色空間のデータに直接変換するものとしているが、これに限らず、例えばＲＧＢ色空間から他の色空間（例えばＬａｂ色空間など）に変換し、他の色空間からＣＭＹＫ色空間に再変換するようにしてもよい。この場合、例えば、ＲＧＢ色空間からＬａｂ変換への色変換時に、Ｒｉｎ，Ｇｉｎ，Ｂｉｎ，ＲＵＶ，ＧＵＶ，ＢＵＶの各値の組み合わせとＬａｂ色空間の出力値とを予め対応付けた色補正テーブルを用いればよい。色補正部２５における処理の詳細については後述する。
【００６０】
空間フィルタ処理部２６は、色補正部２５より入力されるＣＭＹＫ信号の画像データに対して、領域識別信号を基にデジタルフィルタによる空間フィルタ処理（強調処理および／または平滑化処理）を行い、空間周波数特性を補正する。これにより、出力画像のぼやけや粒状性劣化を軽減することができる。
【００６１】
拡大縮小処理部２７は、操作パネル１１を介して入力されるユーザからの指示等に応じて画像データを拡大あるいは縮小する。
【００６２】
中間調処理部２８は、空間フィルタ処理部２６と同様、ＣＭＹＫ信号の画像データに対して領域識別信号を基に所定の処理を施してカラー画像出力装置３００に出力する。例えば、領域分離処理部２３にて文字に分離された領域は、特に黒文字あるいは色文字の再現性を高めるために、空間フィルタ処理部２６による空間フィルタ処理における鮮鋭強調処理で高周波数の強調量が大きくされる。同時に、中間調処理部２８においては、高域周波数の再現に適した高解像度のスクリーンでの二値化または多値化処理が選択される。また、領域分離処理部２３にて網点領域に分離された領域に関しては、空間フィルタ処理部２６において、入力網点成分を除去するためのローパス・フィルタ処理が施される。また、中間調処理部２８は、濃度信号などの信号をカラー画像出力装置３００の特性値である網点面積率に変換する出力階調補正処理を行った後、最終的に画像を画素に分離してそれぞれの階調を再現できるように処理する階調再現処理（中間調生成）が施される。領域分離処理部２３にて写真に分離された領域に関しては、階調再現性を重視したスクリーンでの二値化または多値化処理が行われる。
【００６３】
カラー画像出力装置（画像出力部）３００は、カラー画像処理装置２００から入力される画像データの出力処理を行うものであり、本実施形態では、カラー画像出力装置３００が画像データに応じた画像を記録材上に形成（印刷）する。なお、カラー画像出力装置３００の構成は特に限定されるものではなく、例えば電子写真方式の画像形成装置、あるいはインクジェット方式の画像形成装置などを用いることができる。また、カラー画像出力装置３００は、画像データに応じた画像を記録材上に形成する構成に限るものではなく、例えば、画像データに応じた画像を表示装置に表示させる構成であってもよく、画像データを他の装置に送信する構成であってもよく、画像データを各種記録媒体に記憶（ファイリング）する構成であってもよい。
【００６４】
操作パネル１１は、制御部１２からの指示に応じてユーザに呈示するための各種情報を表示する表示部と、ユーザからの指示入力を受け付けて制御部１２に伝達する入力部とを備えている。
【００６５】
制御部１２は、複写機１０に備えられる各部の動作を制御するものである。
【００６６】
操作パネル１１は、例えば、液晶ディスプレイなどの表示部と設定ボタンなどより構成され（いずれも図示せず）、制御部１２の指示に応じた情報を上記表示部に表示するとともに、上記設定ボタンを介してユーザから入力される情報を制御部１２に伝達する。
【００６７】
制御部１２は、例えばＣＰＵ（Central Processing Unit）等からなり、図示しないＲＯＭ等に格納されたプログラムや各種データ、操作パネル１１から入力される情報等に基づいて、複写機１０の各部の動作を制御する。
【００６８】
図１は、複写機１０における画像読取時の処理の流れを示すフロー図である。
【００６９】
この図に示すように、まず、制御部１２は、カラー画像入力装置１００の第１光源６２ａによって原稿を照射させ、その反射光をＣＣＤ素子６４に検出させてＲｉｎ，Ｇｉｎ，Ｂｉｎの画像データを取得させる（Ｓ１）。
【００７０】
次に、制御部１２は、カラー画像入力装置１００の第１光源６２ａおよび第２光源６２ｂの両方によって原稿を照射させ、その反射光をＣＣＤ素子６４に検出させてＲＵＶ，ＧＵＶ，ＢＵＶの画像データを取得させる（Ｓ２）。
【００７１】
その後、制御部１２は、カラー画像処理装置２００のＡ／Ｄ変換部２１にＡ／Ｄ変換処理を行わせ（Ｓ３）、シェーディング補正部２２にシェーディング補正を行わせ（Ｓ４）、領域分離処理部２３に領域分離処理を行わせ（Ｓ５）、入力階調補正部２４に入力階調補正処理を行わせる（Ｓ６）。
【００７２】
そして、色補正部２５に色補正処理を行わせる（Ｓ７）。具体的には、Ｓ１で取得したＲｉｎ，Ｇｉｎ，ＢｉｎおよびＳ２で取得したＲＵＶ，ＧＵＶ，ＢＵＶの各値の組み合わせに対応する色補正後の値を色補正テーブルから読み出させて出力値を決定させ、空間フィルタ処理部２６に出力させる。
【００７３】
その後、制御部１２は、空間フィルタ処理部２６、拡大縮小処理部２７、および中間調処理部２８に、空間フィルタ処理、拡大縮小処理、および中間調処理を行わせ（Ｓ８〜Ｓ１０）、処理を終了する。
【００７４】
以上のように、本実施形態にかかる複写機１０は、第１光源６２ａのみで原稿を照射して得られた画像データＲｉｎ，Ｇｉｎ，Ｂｉｎと、第１光源６２ａおよび第２光源６２ｂの両方で原稿を照射して得られた画像データＲＵＶ，ＧＵＶ，ＢＵＶの各値の組み合わせに応じて色補正後の出力値を決定する。
【００７５】
これにより、蛍光画像によって紫外線波長域から可視光波長域に変換された光の強度が画像データＲＵＶ，ＧＵＶ，ＢＵＶに反映されているので、それに基づいて色補正後の画像データの出力値を決定することで、蛍光画像の再現性を高めることができる。
【００７６】
なお、本実施形態では、画像読取時に第１光源６２ａのみで原稿を照射する処理と第１光源６２ａおよび第２光源６２ｂの両方で原稿を照射する処理とを行うようにしているが、例えば、蛍光画像を含む原稿であるか否かを操作パネル１１を介してユーザが入力し、蛍光画像を含む原稿ではない場合には第１光源６２ａによる原稿の照射のみを行い、それによって取得した画像データＲｉｎ，Ｇｉｎ，Ｂｉｎに基づいて色補正処理を行うようにしてもよい。
〔実施形態２〕
本発明の他の実施形態について説明する。なお、説明の便宜上、実施形態１と同様の機能を有する部材については実施形態１と同じ符号を付し、その説明を省略する。
【００７７】
本実施形態は、（１）カラー画像入力装置１００のＣＣＤ素子６４が、Ｒ，Ｇ，Ｂの受光素子に加えてＵＶ（紫外光）の受光素子を備えている点、（２）画像読取時には第１光源６２ａと第２光源６２ｂの両方を原稿に照射する処理を１回だけ行う点、および（３）原稿からの反射光に基づいて取得したＲＵＶ，ＧＵＶ，ＢＵＶ，ＵＶの画像データに基づいて色補正を行う点が実施形態１と異なっている。
【００７８】
図７（ａ）は本実施形態にかかるカラー画像入力装置１００に備えられるＣＣＤ素子６４の構成を示す説明図である。この図に示すように、ＣＣＤ素子６４は、Ｒ（赤），Ｇ（緑），Ｂ（青）に対応する各波長域の光を受光して電気信号に変換する、Ｒ，Ｇ，Ｂの各色の受光素子（可視光受光素子）ＣＣＤ＿Ｒ、ＣＣＤ＿Ｇ、ＣＣＤ＿Ｂと、ＵＶ（紫外光）を受光して電気信号に変換するＵＶの受光素子（紫外光受光素子）ＣＣＤ＿ＵＶを備えている。なお、図６（ａ）の例では、ＵＶの受光素子ＣＣＤ＿ＵＶの受光面積がＲ，Ｇ，Ｂの受光素子ＣＣＤ＿Ｒ、ＣＣＤ＿Ｇ、ＣＣＤ＿Ｂの受光面積よりも大きくなっている。これにより、原稿から反射されて各ミラーを介してＣＣＤ素子６４に到達した紫外線波長域の光を感度よく受光できるようになっている。ただし、各色の受光素子の配置は図７（ａ）に示した例に限るものではなく、例えば図７（ｂ）に示すように各色の受光素子の受光面積を等しくしてもよい。
【００７９】
図８は、Ｒ，Ｇ，Ｂ，ＵＶの各受光素子の受光感度を示すグラフである。この図に示すように、Ｒの受光素子ＣＣＤ＿Ｒは赤色に対応する波長域に受光感度のピークがあり、Ｇの受光素子ＣＣＤ＿Ｇは緑色に対応する波長域に受光感度のピークがあり、Ｂの受光素子ＣＣＤ＿Ｂは青色に対応する波長域に受光感度のピークがある。また、ＵＶの受光素子ＣＣＤ＿ＵＶは紫外線波長域に受光感度のピークがある。
【００８０】
なお、ＣＣＤ素子６４によって読み取られたＲ，Ｇ，Ｂ，ＵＶの各色の画像データ（受光素子によって変換された電気信号）は、カラー画像処理装置２００に出力される。また、両面読取モードの場合には、ＣＣＤ素子６４によって読み取られた原稿の下面側の画像データに加えて、第２読取光学部５３によって読み取られた原稿の上面側の画像データがカラー画像処理装置２００に出力される。なお、第２読取光学部５３についても読取部７０と同様、可視光を出射する第１光源と、紫外光を出射する第２光源と、Ｒ，Ｇ，Ｂ，ＵＶに対応する各波長域の光を受光して電気信号に変換する各色の受光素子とを備えた構成とし、Ｒ，Ｇ，Ｂ，ＵＶの各色の電気信号をカラー画像処理装置２００に入力するようにしてもよい。
【００８１】
図９は、本実施形態にかかる複写機１０における画像読取時の処理の流れを示すフロー図である。
【００８２】
この図に示すように、まず、制御部１２は、カラー画像入力装置１００の第１光源６２ａおよび第２光源６２ｂの両方によって原稿を照射させ、その反射光をＣＣＤ素子６４に検出させてＲＵＶ，ＧＵＶ，ＢＵＶ，ＵＶの画像データを取得させる（Ｓ１１）。
【００８３】
その後、制御部１２は、カラー画像処理装置２００のＡ／Ｄ変換部２１にＡ／Ｄ変換処理を行わせ（Ｓ１２）、シェーディング補正部２２にシェーディング補正を行わせ（Ｓ１３）、領域分離処理部２３に領域分離処理を行わせ（Ｓ１４）、入力階調補正部２４に入力階調補正処理を行わせる（Ｓ１５）。
【００８４】
そして、色補正部２５に色補正処理を行わせる（Ｓ１６）。具体的には、ＲＵＶ，ＧＵＶ，ＢＵＶ，ＵＶの各値の組み合わせと、色補正後のＣＭＹＫの値とを予め対応付けた色補正テーブルを記憶手段（図示せず）に記憶しておき、Ｓ１で取得したＲＵＶ，ＧＵＶ，ＢＵＶ，ＵＶの各値の組み合わせに対応する色補正後の値を色補正部２５に色補正テーブルから読み出させて出力値を決定させ、空間フィルタ処理部２６に出力させる。
【００８５】
図１０は、色補正テーブルに格納されているＲＵＶ，ＧＵＶ，ＢＵＶ，ＵＶの各値の組み合わせと、色補正後のＣＭＹＫの値との対応関係の一例を示す説明図である。
【００８６】
この図に示すように、蛍光成分を含まない通常の画像の場合、第２光源６２ｂから原稿に照射された紫外線波長の光は原稿にそのまま反射されてＣＣＤ＿ＵＶに入射するので、ＣＣＤ＿ＵＶの検出値は最大値（図１０では２００）になる。一方、蛍光成分を含む蛍光画像の場合、第２光源６２ｂから原稿に照射された紫外線波長の光は蛍光画像によって可視光波長の光に変換されて放出されるので、ＣＣＤ＿ＵＶの検出値は最大値（図１０では２００）よりも小さくり、ＣＣＤ＿Ｒ、ＣＣＤ＿Ｇ＿およびＣＣＤ＿Ｂの検出値には蛍光画像によって紫外線波長から変換されて放出された光の影響が含まれる。
【００８７】
そこで、本実施形態では、第１光源６２ａおよび第２光源６２ｂを用いてさまざまな蛍光画像（サンプル画像）を読み取ったときのＲＵＶ，ＧＵＶ，ＢＵＶ，ＵＳの各値の組み合わせと、上記蛍光画像を色再現性よく再現するためのＣＭＹＫの値との関係を予め実験によって求め、それに基づいて色補正テーブルを生成してカラー画像処理装置２００に備えられる記憶部（図示せず）に予め記憶させておく。そして、この色補正テーブルに基づいて色補正処理を行うことにより、蛍光画像を色再現性よく再現することができる。
【００８８】
その後、制御部１２は、空間フィルタ処理部２６、拡大縮小処理部２７、および中間調処理部２８に空間フィルタ処理、拡大縮小処理、および中間調処理を行わせ（Ｓ１７〜Ｓ１９）、処理を終了する。
【００８９】
なお、上述した図１０では、ＲＵＶ，ＧＵＶ，ＢＵＶ，ＵＶの入力値をＣＭＹＫの出力値に変換する色補正テーブルを用いて色補正処理および黒生成下色除去処理を一括して行う場合について説明したが、これに限らず、例えば、ＲＵＶ，ＧＵＶ，ＢＵＶ，ＵＶの入力値をＣＭＹの出力値に変換し、さらに、ＣＭＹからＣＭＹＫへの変換（黒生成下色除去処理）を行うようにしてもよい。
【００９０】
以上のように、本実施形態にかかる複写機１０では、可視光を出射する第１光源６２ａと紫外光を出射する第２光源６２ｂと、Ｒ，Ｇ，Ｂの各色を受光して電気信号に変換する受光素子とＵＶ（紫外光）を受光して電気信号に変換する受光素子とを有するＣＣＤ素子６４とを備えている。そして、第１光源６２ａおよび第２光源６２ｂの両方で原稿を照射して得られた画像データＲＵＶ，ＧＵＶ，ＢＵＶ，ＵＶの各値の組み合わせに応じて色補正後の出力値を決定する。
【００９１】
これにより、蛍光画像によって紫外線波長域から可視光波長域に変換された光の強度が画像データＲＵＶ，ＧＵＶ，ＢＵＶ，ＵＶに反映されているので、それに基づいて色補正後の画像データの出力値を決定することで、蛍光画像の再現性を高めることができる。また、画像読取時の光源からの光の照射は１回だけでよいので、特許文献３，４のように可視光を照射する工程と紫外光を照射する工程とを行う必要のある技術に比べて、画像読取処理に要する時間を短縮することができる。
【００９２】
なお、上記各実施形態において、複写機１０に備えられる各部（各ブロック）、例えば制御部１２およびカラー画像処理装置２００の各部を、ＣＰＵ等のプロセッサを用いてソフトウェアによって実現してもよい。この場合、複写機１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである複写機１０の制御プログラムのプログラムコード（実行形式プログラム、中間コードプログラム、ソースプログラム）をコンピュータで読み取り可能に記録した記録媒体を、複写機１０に供給し、そのコンピュータ（またはＣＰＵやＭＰＵ）が記録媒体に記録されているプログラムコードを読み出し実行することによって達成される。
【００９３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９４】
また、複写機１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９５】
また、複写機１０の各ブロックは、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９７】
本発明は、原稿を読み取って原稿の画像データを取得する画像読取装置および画像読取方法に適用できる。
【符号の説明】
【００９８】
１０  複写機（画像読取装置、画像データ出力処理装置）
１１  操作パネル
１２  制御部
２５  色補正部
６２  光源
６２ａ  第１光源
６２ｂ  第２光源
６４  ＣＣＤ素子（受光部）
１００  カラー画像入力装置
２００  カラー画像処理装置
３００  カラー画像出力装置（画像出力部）
ＣＣＤ＿Ｒ，ＣＣＤ＿Ｇ，ＣＣＤ＿Ｂ  受光素子（可視光受光素子）
ＣＣＤ＿ＵＶ  受光素子（紫外光受光素子）
【図１】
2011109625.tif 000004
【図２】
2011109625.tif 000005
【図３】
2011109625.tif 000006
【図４】
2011109625.tif 000007
【図５】
2011109625.tif 000008
【図６】
2011109625.tif 000009
【図７】
2011109625.tif 000010
【図８】
2011109625.tif 000011
【図９】
2011109625.tif 000012
【図１０】
2011109625.tif 000013
【図１１】
2011109625.tif 000014